(57)【要約】【課題】  配線基板内のヒーター導体に電流が流れた場合に周囲に発生する電界の電気力線が流路を泳動するＤＮＡや蛋白質に電界による力が発生せず、安定した泳動を行なうことが可能な配線基板を提供する。【解決手段】  配線基板は、ガラスセラミックスから成る複数の絶縁層１が積層されて成る絶縁基板と、絶縁層１の層間および絶縁層１の表面に形成された配線導体３と、絶縁層１を貫通して形成された貫通導体４と、絶縁層１に形成された被処理流体を流通させる流路９と、絶縁層１の層間および絶縁層１の表面に形成されたヒーター導体１０と、配線導体３または貫通導体４に電気的に接続される熱電対５とを具備しており、流路９とヒーター導体１０との間に電気的に接地された金属から成る基準電位に接続される接地導体２を形成する。【選択図】  図１
2006177921.tif 000002
【特許請求の範囲】
【請求項１】
複数の絶縁層を積層して成る絶縁基板と、前記絶縁層の層間および絶縁層の表面に形成された配線導体と、前記絶縁層を貫通して形成された貫通導体と、前記絶縁層に形成された、被処理流体を収容するための流路と、前記絶縁層の層間および絶縁層の表面に形成されたヒーター導体と、前記配線導体及び／または前記貫通導体に電気的に接続される熱電対と、前記流路及び前記ヒーター導体間に配置され、基準電位に接続される接地導体と、を含んで成る配線基板。
【請求項２】
前記絶縁層がガラスセラミックスから成ることを特徴とする請求項１に記載の配線基板。
【請求項３】
前記被処理流体が、生体物質を含むことを特徴とする請求項１または請求項２に記載の配線基板。
【請求項４】
前記ヒーター導体及び前記流路が、前記接地導体を挟んで対向するように配置されていることを特徴とする請求項１乃至は請求項３のいずれかに記載の配線基板。
【請求項５】
前記配線導体及び前記貫通導体が、銀、銅、パラジウムおよび白金のうち少なくとも一種を主成分とする導体材料から成ることを特徴とする請求項１乃至請求項４のいずれかに記載の配線基板。
【請求項６】
前記配線導体と前記熱電対との接続部に、銀、パラジウム、白金および金のうち少なくとも一種を主成分とする導体材料から成る接続配線部が形成されていることを特徴とする請求項１乃至請求項５のいずれかに記載の配線基板。
【請求項７】
前記ヒーター導体が前記流路の底面よりも下方に配置され、前記接地導体の一部が、前記流路の側方に、間に前記流路を挟んで対向するように配置されていることを特徴とする請求項１乃至請求項６のいずれかに記載の配線基板。
【請求項８】
前記流路の側方に位置する接地導体が列状に配置された複数の貫通導体から成ることを特徴とする請求項７記載の配線基板。
【請求項９】
前記流路が前記絶縁基板の表面に露出して形成されており、前記流路は、露出する面が導電性のシールド蓋体で覆われていることを特徴とする請求項１乃至請求項８のいずれかに記載の配線基板。
【発明の詳細な説明】
【技術分野】
【０００１】
本発明は、例えば、ＤＮＡ（デオキシリボ核酸）や蛋白質等の生体物質（検体）の解析、照合、合成、増幅等に用いられる配線基板に関するものである。
【背景技術】
【０００２】
従来より、ＤＮＡや蛋白質等の生体物質（検体）を照合、合成、増幅するのに、所定の流路（チャネルやキャピラリーともいう）を有した配線基板が用いられており、一般にマイクロ化学チップと呼ばれている。
【０００３】
このような従来の配線基板としては、セラミックスから成る絶縁基体の表面等に配線導体が形成されるとともに、流路形成用の溝加工を施した構造のものが知られている。
【０００４】
かかる配線基板は、従来周知のセラミックグリーンシート（セラミック生シートで、以下、グリーンシートともいう）積層法により以下のようにして製作される。
【０００５】
即ち、まず、アルミナ等から成るセラミック原料粉末にガラス粉末，有機バインダー，溶剤，可塑剤等を添加混合して泥漿状となし、これをドクターブレード法やカレンダーロール法等によってシート状に成形してグリーンシートを得、流路や泳動路となる溝や穴をプレス打抜き加工法等によって形成する。さらに、セラミック層間を貫通する貫通導体の形成ための微細な穴をプレス打抜き加工法等によって形成し、その穴に、タングステン（Ｗ），モリブデン（Ｍｏ）等の金属粉末に所望のガラス粉末，有機バインダー，溶剤，可塑剤等を添加混合して得られる金属ペーストを埋込む。その後、グリーンシート表面に、タングステン（Ｗ），モリブデン（Ｍｏ）等の金属粉末に所望のガラス粉末，有機バインダー，溶剤，可塑剤等を添加混合して得られる金属ペーストを、スクリーン印刷法により所定パターンに印刷塗布し熱電対を載置形成する。しかる後、このグリーンシートを複数枚積層して積層体となすとともに、この積層体を８００〜１６５０℃程度の温度で焼成することによって製品としての配線基板が完成する。
【０００６】
また、このような、ＤＮＡの解析、照合用等に使用される配線基板は、ＤＮＡの２鎖を１鎖に分解する分鎖作業を行なう際、流路内の検体を７０〜１００℃程度まで加熱する必要があるため、加熱機能と測温機能とが別途、必要とされる。
【０００７】
加熱機能は、配線基板内部に高抵抗材料の白金−レニウム（Ｐｔ−Ｒｅ）合金やタングステン−レニウム（Ｗ−Ｒｅ）合金から成るヒーター導体によって形成されるのが一般的であり、印刷等によって形成されたヒーター導体に電流を流がし、ジュール熱を発生させることによって加熱するようにしている。この方法はヒーター導体の位置が被加熱物に近く、周囲に奪われる熱量が小さいために被加熱物を効率良く加熱することができる。またヒーター導体の位置が被加熱物に近いので温度コントロールを精度良く行なうことができる利点もある。なお、他の加熱方法としては、湯洗や卓上ヒーター導体の加熱源の上に流路の付いた配線基板を乗せ、間接的に被加熱物を加熱する方法が知られている。
【０００８】
他方、測温機能は、アルメル−クロメル熱電対、鉄（Ｆｅ）−コンスタンタン熱電対、クロメル−コンスタンタン熱電対、白金−白金ロジウム合金熱電対等の熱電対の素線を、配線基板の温度測定部近傍に穴を設け、その穴に線状の熱電対を挿入し温度測定を行なう方法、配線基板上に熱電対の取付け治具をロウ材や耐熱性接着剤等を用いて接合し、その取付け治具に線状の熱電対を固定し温度測定を行なう方法、または軟化点が３５０〜５００℃程度の低軟化点ガラスや耐熱性接着剤等を用いて配線基板に直接固定し温度測定を行なう方法等が知られている。
【０００９】
しかしながら、これらの熱電対を配線基板に直接取付ける方法では、配線基板上において熱電対を取付けるための広いスペースを確保する必要があるため、小型化、高密度化が進む配線基板において熱電対を取付けるための広い面積を確保することは困難な状況となりつつある。特に、ＤＮＡ等の検体を照合、合成、増幅するための流路を有した配線基板においては、検体を液状の試薬中で泳動させるための流路幅が小型化により年々細くなってきており、そのような状況の中で配線基板の表面に熱電対の素線を取付けるための広い面積を確保することは極めて困難なものとなっている。
【００１０】
また、検体を照合、合成、増幅する過程において、強酸性、強アルカリ性の化学薬品による処理が施されることから、化学薬品により侵食される金属のロウ材や取付け金具は使用に制限が生じる。
【００１１】
そこで、近年、配線基板の内部に熱電対を形成する方法として、アルミナ等から成るグリーンシートに、配線導体としてタングステン（Ｗ），モリブデン（Ｍｏ）等の金属ペーストを、熱電対として白金と白金−ロジウム合金との金属ペーストを印刷形成してグリーンシートを積層し、１６５０℃程度で焼成する方法が提案されている。
【特許文献１】特開昭５４−１３７１４１号公報
【特許文献２】特開平１１−２１４１２７号公報
【発明の開示】
【発明が解決しようとする課題】
【００１２】
しかしながら、上述した従来の配線基板においては、その内部に白金−白金ロジウム合金から成る熱電対を形成した場合、ＤＮＡ解析における検体の分解温度や、ＩＣチップの自己発熱温度または使用環境温度である３００℃以下の温度において、発生する起電力が１００〜２４００μＶ程度と小さく、それ故、電圧計測機器の配線や接続線等により発生するノイズや使用雰囲気によるドリフトにより、測定精度が安定せず、測定起電力に補正を加えて使用することが必要であるという問題点があった。
【００１３】
そこで、このような問題点を解決するために、３００℃における起電力が１２２０９μＶと大きく、補正しなくても安定した測定精度が得られる、アルメル−クロメル熱電対や鉄（Ｆｅ）−コンスタンタン熱電対、クロメル−コンスタンタン熱電対等の比較的低融点金属から成る熱電対を使用することが考えられる。
【００１４】
しかしながら、このような低融点金属から成る熱電対は、それを構成する金属の融点が９００〜１７００℃程度であることから、使用限界温度が８００〜１０００℃程度と低い。そのため、従来のアルミナ等から成るグリーンシートに、配線導体としてタングステン（Ｗ），モリブデン（Ｍｏ）等の金属ペーストを、熱電対として白金と白金ロジウム合金の金属ペーストを印刷形成してグリーンシートを積層し、１６５０℃程度で焼成する方法においては、熱電対の金属接点において金属の相互拡散が進み、熱電対としての機能が喪失される欠点が誘発される。
【００１５】
また、ＤＮＡや蛋白質等の検体の泳動解析を行なう際、鎖列の分子間力を小さくし、分離しやすくしたり、薬液の密着をより良好にしたり、薬液との化学反応を良好としたりするために、流路に収容される検体は、通常、７０〜１００℃程度に加熱される。これは検体の温度を上げることで分子振動を大きくし、分子間力を破壊することで鎖列の分離を行うためであり、近年では、ＤＮＡや蛋白質などの検体の泳動解析の精度を向上させるために±１．０℃以内の温度制御が必要とされている。
【００１６】
このような温度制御が必要とされる場合、湯洗や卓状ヒーター導体等で流路を加熱する方法では、周囲に奪われる熱量が大きく、被加熱物を効率良く加熱することができない上に、流路と加熱源の距離が離れているために、流路内の検体温度を正確に制御することが難しく、ＤＮＡや蛋白質等の分離や薬液との反応を十分に行なうことができず、泳動解析の精度を向上させることができない。
【００１７】
一方、配線基板内にヒーター導体を内蔵する手法では、近年のＤＮＡや蛋白質の泳動解析においては作業効率や作業処理量を向上させるためにＤＮＡや蛋白質の質量にして数十〜数千ｎｇといった広いレンジでの泳動解析が行われている。ＤＮＡや蛋白質はアデニン、チミン、シトシン、グアニンの配列により構成されており、それぞれの電気陰性度が異なるためにＤＮＡ鎖としては極性を持っている。泳動解析においてヒーター導体に電流が流れた場合、ヒーター導体の周囲には電界が発生するため、ヒーター導体と流路が接近していると、電界の電気力線がＤＮＡや蛋白質に影響し、フレミングの法則に従い力が加わることとなる。そのため、ＤＮＡや蛋白質は流路を正確に流れなくなり、泳動に時間を要したり、また質量が数十ｎｇの小さなＤＮＡや蛋白質片は流路を流れず、解析の精度が低下するという欠点が誘発される。
【００１８】
また、モニターされる温度および設定温度は、流路を流れる検体の温度であるために、アルメル−クロメル熱電対素線の測温部をできるだけ流路に近づけて設置する必要がある。このため、セラミック配線基板においては、流路の下側のセラミック層の層厚みをできる限り薄くして、流路に熱電対を近く設置する方法が取られている。
【００１９】
尚、流路の形成方法としては、グリーンシート単層にて形成する場合、金型上に成形された凸状の流路パターンをグリーンシートに加圧し押し付けて凹状の溝を形成する方法が用いられている。
【００２０】
しかしながら、このような方法で流路を形成した場合、凸状の流路パターンがグリーンシートに加圧され食込んでいく際に、グリーンシートに加わる圧力が流路部とその周辺部で異なるため、グリーンシートに割れやクラックが発生したり、グリーンシート内の比重に部分的に差が生じ、これが原因となって配線基板の焼成時に焼結収縮量に差が生じ、配線基板に割れやクラックが発生する場合がある。
【００２１】
そこで、第１層目のグリーンシートに流路となる貫通したパターン形状を金型で打抜き加工して形成し、この流路加工を施した第１層目のグリーンシートの下層に、別の第２層目のグリーンシートをプレス機等で積層加圧して流路の底を形成して流路と成す方法が考えられる。
【００２２】
しかしながら、このような方法で流路を形成する場合、熱電対素線が載置される第３層目のグリーンシートを、打抜き加工された第１のグリーンシートを積層した第２層目のグリーンシートの下面に位置決めしプレス等で加圧積層するが、その後の焼成の際のガラスセラミックスの厚み収縮により、流路の形成箇所では第２層目のグリーンシートや熱電対素線が載置された第３層目のグリーンシートよりも密度が低くなる。そのため、流路の底部が流路内へ押し出されて凸形状となり、その結果、流路に検体を泳動させ解析する際に、流路底部の凸部が検体の泳動を妨げ、正しい検出ができないという問題点がある。
【００２３】
そこで、流路底部が流路内側へ押し出されて凸形状になることを防止するために、第１層目のグリーンシートに流路となる貫通したパターン形状を金型で打抜き加工して形成した後、この打ち抜き穴にアルミナ粉末等の単独では焼結しない密度の高い難焼結性粉末を充填することによって、流路底部が流路内側へ押し出されて凸形状に変形することを防止する手法が考えられる。
【００２４】
しかしながら、このような手法を用いた場合であっても、配線基板の焼成時に流路底部とアルミナ粉末等の変形防止用の難焼結性粉末とが押し合った結果、流路底部に難焼結性粉末の圧痕が付くことから、流路底部が平坦面にならず、流路底部の凹凸が検体の泳動を妨げ、正しい検出ができないという問題を有している。
【００２５】
本発明は、上述の問題点を解決すべく案出されたもので、その目的は、安定した測定を可能とし、且つ解析精度を向上させることができる配線基板を提供することにある。
【課題を解決するための手段】
【００２６】
本発明の配線基板は、複数の絶縁層を積層して成る絶縁基板と、絶縁層の層間および絶縁層の表面に形成された配線導体と、絶縁層を貫通して形成された貫通導体と、絶縁層に形成された、被処理流体を収容するための流路と、絶縁層の層間および絶縁層の表面に形成されたヒーター導体と、配線導体及び／または貫通導体に電気的に接続される熱電対と、流路及びヒーター導体間に配置され、基準電位に接続される接地導体と、を含んで成ることを特徴とするものである。
【００２７】
また、本発明の配線基板は、ガラスセラミックスから成ることを特徴とするものである。
【００２８】
さらに、本発明の配線基板は、被処理流体が、生体物質を含むことを特徴とするものである。
【００２９】
またさらに、本発明の配線基板は、ヒーター導体及び流路が、接地導体を挟んで対向するように配置されていることを特徴とするものである。
【００３０】
さらにまた、本発明の配線基板は、配線導体及び貫通導体が、銀、銅、パラジウムおよび白金のうち少なくとも一種を主成分とする導体から成ることを特徴とするものである。
【００３１】
またさらに、本発明の配線基板は、配線導体と熱電対との接続部に銀、パラジウム、白金および金のうち少なくとも一種を主成分とする導体材料から成る接続配線部が形成されていることを特徴とするものである。
【００３２】
本発明の配線基板は好ましくは、前記ヒーター導体が前記流路の底面よりも下方に配置され、前記接地導体の一部が、前記流路の側方に、間に前記流路を挟んで対向するように配置されていることを特徴とする。
【００３３】
本発明の配線基板は好ましくは、前記流路の側方に位置する接地導体が列状に配置された複数の貫通導体から成ることを特徴とする。
【００３４】
本発明の配線基板は好ましくは、前記流路が前記絶縁基板の表面に露出して形成されており、前記流路は、露出する面が導電性のシールド蓋体で覆われていることを特徴とする。
【発明の効果】
【００３５】
本発明の配線基板は、複数の絶縁層を積層して成る絶縁基板と、絶縁層の層間および絶縁層の表面に形成された配線導体と、絶縁層を貫通して形成された貫通導体と、絶縁層に形成された被処理流体を収容するための流路と、絶縁層の層間および絶縁層の表面に形成されたヒーター導体と、配線導体及び／または貫通導体に電気的に接続される熱電対と、流路及びヒーター導体間に配置され、基準電位に接続される接地導体と、を含んで構成するようにしたものであり、これによって、ヒーター導体の加熱時に流れる電流により発生する電界が基準電位に接続された接地導体によって遮られ、電界が流路に及ぶのを有効に防止することができるため、極性をもつＤＮＡや蛋白質は電気力線の影響を殆ど受けることなく流路内を泳動するようになる。よって、泳動中のＤＮＡや蛋白質が停止したり、泳動速度が速くなったり、遅くなることは少なくなり、解析精度を向上させることが可能となる。またこの場合、接地導体はガラスセラミックス等から成る絶縁層よりも熱伝導率が高いことから、流路を流れる被処理流体の温度を測定する場合に、被処理流体の熱を接地導体で拡散されることなく熱電対に伝えることができ、より正確な温度測定が可能となる。
【００３６】
さらに、本発明の配線基板によれば、絶縁層をガラスセラミックスにより形成することにより、１０００℃以上の焼成では溶融し配線導体を形成しない低融点でかつ低抵抗の金属を配線導体として形成することができるとともに、アルメル−クロメル熱電対や鉄（Ｆｅ）−コンスタンタン熱電対、クロメル−コンスタンタン熱電対等の比較的低融点の金属からなる起電力が大きい熱電対を使用することができるようになる。これにより、測定起電力に補正等を加えることなく、測定精度の安定化を図ることが可能となる。
【００３７】
また、本発明の配線基板によれば、流路と熱電対との間にガラスセラミックスから成る絶縁層よりも熱伝導率の高い銀、銅、パラジウムおよび白金から成る接地導体を形成することにより、流路を流れる検体の温度を測定する際に、より正確に熱電対に伝えることが可能となる。
【００３８】
さらにまた、本発明の配線基板によれば、生体物質を含む被処理流体を用いることにより、配線基板をＤＮＡや蛋白質等の生体物質を分析するマイクロ化学チップ等に適用する際に、高い精度で生体物質を分析できるマイクロ化学チップが得られる。
【００３９】
またさらに、本発明の配線基板によれば、ヒーター導体と流路とを、間に接地導体を挟んで対向するように設けることにより、ヒーター導体から発生する電界は基準電位に接続される接地導体に当たり、接地導体内で渦電流となり接地されるので流路に届くことは殆どない。これによっても、測定精度に優れた配線基板を得ることができる。
【００４０】
さらにまた、本発明の配線基板によれば、配線導体および貫通導体を、銀、銅、パラジウムおよび白金のうちの少なくとも一種を主成分とする導体材料により形成することにより、配線導体および貫通導体の抵抗率が１．５９〜１．６７μΩｃｍと低くなり、熱電対の起電力を損失させることなく計測機器へ伝達することができ、精度の高い測定を行なうことができるようになる。
【００４１】
またさらに、本発明の配線基板によれば、配線導体と熱電対との接続部に、銀、パラジウム、白金および金のうちの少なくとも一種を主成分とする導体材料から成る接続配線部を形成することにより、熱電対の基本的組成を成す金属であるニッケルと配線導体や貫通導体との間に酸化ニッケルが形成されることはなく、配線導体と熱電対とを良好に接続することができる。
【００４２】
本発明の配線基板は好ましくは、ヒーター導体が流路の底面よりも下方に配置され、接地導体の一部が、流路の側方に、間に流路を挟んで対向するように配置されていることから、ヒーター導体および周囲の測定機器や加熱機器や攪拌機器から発生する電界は、流路とヒーター導体との間に配置された接地導体および流路の側方に位置する接地導体に当たり、これらの接地導体内で渦電流となり接地される。そのため、接地導体および流路の側方に位置する接地導体で流路を取り囲むことによって流路をより効果的にシールドすることができ、ヒーター導体および周囲の測定機器や加熱機器や攪拌機器から発生する電界が流路を流れる被処理流体の泳動に影響を与えることを効果的に抑制することができる。その結果、ＤＮＡやたんぱく質の質量が数ｎｇと極端に小さい場合にも測定精度に優れた配線基板とすることができる。
【００４３】
さらに、接地導体を銀、銅、パラジウムおよび白金のうち少なくとも一種を主成分とする熱伝導率の高い材料で形成した場合には、ヒーター導体からの熱がこれら接地導体からも伝熱され、流路を均一に加熱することも可能となる。
【００４４】
また、本発明の配線基板は好ましくは、流路の側方に位置する接地導体が列状に配置された複数の貫通導体から成ることから、接地導体および貫通導体で流路を取り囲むことによって、流路をより効果的にシールドすることができるとともに、流路の側方に位置する接地導体の熱膨張を絶縁基板によって拘束して応力が生じるのを有効に抑制することができる。その結果、ヒーター導体および周囲の測定機器や加熱機器や攪拌機器から発生する電界が流路を流れる被処理流体の泳動に影響を与えることを効果的に抑制することができるとともに絶縁基体にクラック等の破損が生じるのを有効に防止して流路を流れる被処理流体の泳動を良好に維持することができる。
【００４５】
さらに、流路の側方に位置する接地導体を列状に配置された複数の貫通導体で形成すると、信号伝達用の貫通導体と同じ工程にて製作されることとなり、工程を増やす必要が無くなる。
【００４６】
また、本発明の配線基板によれば好ましくは上記構成において、流路が絶縁基板の表面に露出して形成されており、流路は、露出する面が導電性のシールド蓋体で覆われていることから、流路を流れる液体を泳動させる場合に、ヒーター導体や、周囲の測定機器，加熱機器，攪拌機器等から発生する電界を、導電性のシールド蓋体内で渦電流として接地することにより、発生した電界が流路を流れる被処理流体の泳動に影響を与えることをより効果的に抑制することができる。その結果、ＤＮＡやたんぱく質の質量が数ｎｇと極端に小さい場合にも測定精度に優れた配線基板とすることができる。
【００４７】
さらに、流路の露出する面を電界シールド蓋体で覆ったことから、流路を流れる液体の熱が逃げることが抑制されるために、流路を流れる液体の液温度を一定に保つことが可能となる。
【００４８】
以上のように、本発明の配線基板によれば、例えば、ＤＮＡや蛋白質等の生体物質（検体）を解析、照合、合成、増幅するマイクロ化学チップとして用いる場合、配線基板上での諸反応温度を正確に安定して計測することができるとともに、検体の照合不良や合成不良、増幅率低下を有効に防止することができ、ＤＮＡ解析の信頼性向上および照合時間の短縮化を実現することが可能となる。
【発明を実施するための最良の形態】
【００４９】
本発明の配線基板を以下に説明する。図１，図２は本発明の配線基板の実施の形態の一例を示し、図１（ａ）は配線基板の内層の構成を一部示す部分切欠斜視図、（ｂ）は配線基板の斜視図、図２は図１の配線基板の断面図である。図１，図２において、１は絶縁層（絶縁基体）、２は基準電位に接続される接地導体（電気的に接地された金属層等。以下単に接地導体という）、３は配線導体、４は貫通導体、５は線状の熱電対素線である。また、６は熱電対に接合され、熱電対の起電力を外部へ引き出す内層の配線導体（以下、引き出し配線ともいう）、７は熱電対と引き出し配線６との間の接続配線部、８は耐薬品性の保護膜を有するＩＣチップ、９はＤＮＡや蛋白質等の被処理流体（検体）を泳動させる溝状の流路、１０は流路を流通する生体物質等を含む被処理流体を加熱するためのヒーター導体である。
【００５０】
絶縁層１は、ガラスセラミックス、セラミック焼結体、セラミック粉末と樹脂との複合材料等から成り、かかる絶縁層１を複数、積層することにより絶縁基板が形成されている。なお、図２は、第１層目の絶縁層１１、第２層目の絶縁層１２、第３層目の絶縁層１３、第４層目の絶縁層１４で絶縁基板を形成した例を示したものである。被処理流体を収容するための流路９は、第１層目の絶縁層１１に形成されている。
【００５１】
流路９に収容されている被処理流体は、ヒーター導体１０および熱電対５で所定の温度に制御されて加熱され、電気泳動分析等の化学分析等の処理が施される。処理結果はＩＣチップ８で解析されて電気信号として外部に送信される。
【００５２】
本形態において、絶縁層１はガラスセラミックス質焼結体により形成されており、かかるガラスセラミックス質焼結体は、ガラス成分とフィラー成分とで構成され、ガラス成分としては、例えばＳｉＯ２−Ｂ２Ｏ３系、ＳｉＯ２−Ｂ２Ｏ３−Ａｌ２Ｏ３系、ＳｉＯ２−Ｂ２Ｏ３−Ａｌ２Ｏ３−ＭＯ系（但し、ＭはＣａ，Ｓｒ，Ｍｇ，ＢａまたはＺｎを示す）、ＳｉＯ２−Ａｌ２Ｏ３−Ｍ１Ｏ−Ｍ２Ｏ系（但し、Ｍ１およびＭ２は同じまたは異なっており、Ｃａ，Ｓｒ，Ｍｇ，ＢａまたはＺｎを示す）、ＳｉＯ２−Ｂ２Ｏ３−Ａｌ２Ｏ３−Ｍ１Ｏ−Ｍ２Ｏ系（但し、Ｍ１およびＭ２は上記と同じである）、ＳｉＯ２−Ｂ２Ｏ３−Ｍ３２Ｏ系（但し、Ｍ３はＬｉ，ＮａまたはＫを示す）、ＳｉＯ２−Ｂ２Ｏ３−Ａｌ２Ｏ３−Ｍ３２Ｏ系（但し、Ｍ３は上記と同じである）、Ｐｂ系ガラス、Ｂｉ系ガラス等が挙げられる。
【００５３】
一方、フィラー成分としては、例えばＡｌ２Ｏ３，ＳｉＯ２，ＺｒＯ２とアルカリ土類金属酸化物との複合酸化物、ＴｉＯ２とアルカリ土類金属酸化物との複合酸化物、Ａｌ２Ｏ３およびＳｉＯ２から選ばれる少なくとも１種を含む複合酸化物（例えばスピネル，ムライト，コージェライト）等が挙げられる。
【００５４】
また、接地導体２は、例えば銀（Ａｇ），銅（Ｃｕ），パラジウム（Ｐｄ），白金（Ｐｔ）等の金属の粉末を主成分とするメタライズ層からなる。このメタライズ層は、上記金属の粉末を含む導体ペーストを焼結させることにより得られる。接地導体２は、ヒーター導体１０の加熱時に流れる電流により発生する電界を遮り、流路９に電界が生じることを防止する作用を為す。このため、極性をもつＤＮＡや蛋白質が電気力線による影響を受けることは少なく、流路９を泳動させることが可能となる。その結果、泳動中のＤＮＡや蛋白質が停止したり、泳動速度が速くなったり、遅くなったりすることがなくなるので解析精度を向上させることができる。
【００５５】
なお、基準電位に接続される接地導体２は、例えば、接地された上記メタライズ層等の金属層から成り、接地導体２の接地は、接地導体２の外縁部分から、絶縁基板１の表面や内部を通って側面や底面、上面の外周部等に導出され接地配線（図示せず）を形成しておき、この接地配線を、外部電気回路基板の接地端子に半田接合やネジ止め等で接続する等の手段により行なわれる。
【００５６】
接地配線は、銀（Ａｇ），銅（Ｃｕ），パラジウム（Ｐｄ），白金（Ｐｔ）等の金属の粉末を主成分とするメタライズ層からなり、例えば、上記金属の粉末を含む導体ペーストを焼結させることにより得られる。この場合、導体ペーストの焼成収縮とガラスセラミックスの焼成収縮とを合わせたり、絶縁層１との接合強度を確保したりするために、導体ペースト中にガラス粉末やセラミック粉末を添加してもよい。
【００５７】
また、絶縁層１をガラスセラミックスで形成する場合、その焼結温度は、それに含まれる主たる成分のガラス粉末やアルミナ粉末の平均粒径に依存するが、接地導体２の焼結温度は、それに含まれる主たる成分の金属粉末の融点に依存し、一般的には金属の固相焼結の開始温度は融点Ｋ（ケルビン）の４５〜６５％である。このことから、ガラスセラミックスに含まれるガラス粉末やアルミナ粉末の平均粒径を調整し所望の焼結温度とし、その後、接地導体２に含まれる金属粉末の融点が適当な金属組成を選択することで、接地導体２の焼結温度を絶縁層１よりも低くすることができる。
【００５８】
このように、絶縁層１がガラスセラミックス等の焼結体から成り、熱電対が絶縁層１との同時焼成で形成される場合、流路９と熱電対との間に絶縁層１より焼結温度の低い金属から成る接地導体２が形成されていることから、配線基板の焼成時に、まず、接地導体２が焼結し硬くなり、その後、絶縁層１が焼結収縮するため、金属表面層の他方主面に形成された熱電対が金属表面層に食い込もうとしても、接地導体２は焼結収縮が進み密度が高くなっているので熱電対が食い込まず、金属表面層は流路９側に凸となることがない。このため、流路９の底部が流路９の内側へ押し出されて凸形状になるのが有効に防止され、平坦な底部を有した流路９を得ることができる。これにより、流路底面の表面の粗さを小さくでき、スムーズに検体を泳動させることが可能となる。
【００５９】
また、接地導体２の材料を選ぶ場合は、絶縁層１より接地導体２を早く焼結収縮させることが好ましいので、まず、絶縁層１となるグリーンシートを焼成炉で焼成してＴｇ（ガラス転移点）や収縮挙動曲線のデータを得る。これより絶縁層１となるガラスセラミックス等の材料の焼結温度を確認することができるので、基準電位に接続される接地導体２の材料は所望のガラスセラミックスの焼結温度より低い焼結温度である金属材料を選ぶことができる。
【００６０】
本形態においては、絶縁層１に含まれるガラス粉末にＳｉＯ２−Ｂ２Ｏ３系、平均粒径（Ｄ５０）を１．２〜５．０μｍのものを適用した。その結果、焼結開始温度が７００度、焼結終了温度が８５０度となったため、基準電位に接続される接地導体２の材料として融点が９６２度の銀（Ａｇ）を選定した。これにより、接地導体２の焼結温度を絶縁層１よりも低くすることとした。併せて流路を流れる検体の温度を測定する場合において、より正確に熱電対に伝えるために熱伝導率が４２７W／ｍ・Ｋである銀（Ａｇ）を選定した。
【００６１】
なお、ここで“Ｄ５０”とは、粉末の粒径分布を表す指標であり、分布中の粒径の小さい粉末から積算して５０％の位置にある粒径のことを意味する。
【００６２】
また、本形態においては、配線基板の流路９と熱電対５との間に、ガラスセラミックスから成る絶縁層１よりも熱伝導率の高い銀、銅、パラジウムおよび白金から成る接地導体２が形成されている。そのため、流路９を流れる検体の温度を測定する際、検体の温度をより正確に熱電対５に伝えることができる。なお、ガラスセラミックスの熱伝導率は１．５〜１０．０W／ｍ・Ｋであるのに対し、銀、銅、パラジウムおよび白金の熱伝導率はそれぞれ４２７、３９８、７５．５、７１．４W／ｍ・Ｋである。
【００６３】
さらにこの場合、接地導体２の熱伝導率はガラスセラミックスから成る絶縁層１よりも高くなっていることから、ヒーター導体１０にて流路９を流れる検体を加熱する場合に、ヒーター導体１０の発する熱は、接地導体２で拡散されることが少なく、流路９の下部に効率良く伝導するようになっており、検体に対してより均一に熱を伝えることができる。
【００６４】
尚、配線導体３および貫通導体４は、銀（Ａｇ），銅（Ｃｕ），パラジウム（Ｐｄ）及び白金（Ｐｔ）のうち少なくとも一種を主成分とする導体材料により形成することが好ましい。この場合、配線導体３及び貫通導体４は抵抗率が１．５９〜１．６７μΩｃｍと低く、熱電対の起電力を大きく損失させることなく計測機器へ伝達することができ、精度の高い測定をすることができる。なお、上記銀（Ａｇ）等の金属材料について、主成分にする、というのは、配線導体３及び貫通導体４の抵抗率が上記のように低くなるように、銀（Ａｇ）等の金属材料を多くの割合で含有しているという意味である。
【００６５】
また、引き出し配線６についても、上記配線導体３と同様の導体材料で形成することが好ましい。
【００６６】
配線導体３及び引き出し配線６は、例えば、銀（Ａｇ），銅（Ｃｕ），パラジウム（Ｐｄ），白金（Ｐｔ）等の金属の粉末を主成分とするメタライズ層からなる。このメタライズ層は、上記金属の粉末を含む導体ペーストを焼結させることにより得られるが、導体ペーストの焼成収縮とガラスセラミックスの焼成収縮とを合わせたり、絶縁層１との接合強度を確保したりするために、導体ペースト中にガラス粉末やセラミック粉末を添加してもよい。また、配線導体３および引き出し配線６は、それぞれ添加するガラス粉末やセラミック粉末の種類および添加量が異なっていてもよい。
【００６７】
貫通導体４は、例えば、銀（Ａｇ），銅（Ｃｕ），パラジウム（Ｐｄ），白金（Ｐｔ）等の金属の粉末を主成分とするメタライズ層からなる。このメタライズ層は、上記金属の粉末を含む導体ペーストを焼結させることにより得られるが、導体ペーストの焼成収縮とガラスセラミックスの焼成収縮とを合わせたり、絶縁層１との接合強度を確保したりするために、導体ペースト中にガラス粉末やセラミック粉末を添加してもよい。また、配線導体３及び引き出し配線６は、それぞれ添加するガラス粉末やセラミック粉末の種類及び添加量が異なっていてもよい。
【００６８】
線状の熱電対素線５は、例えばアルメル−クロメル熱電対や鉄（Ｆｅ）−コンスタンタン熱電対，クロメル−コンスタンタン熱電対等から成るが、特に工業用として最も多く使用されているアルメル−クロメル熱電対について最良の結果が得られた。
【００６９】
線状の熱電対素線５と接合され、熱電対の起電力を外部へ引き出すための引き出し配線６は、例えば、銀（Ａｇ），銅（Ｃｕ），パラジウム（Ｐｄ），白金（Ｐｔ）等の金属の粉末を主成分とするメタライズ層からなる。このメタライズ層は、上記金属の粉末を含有する導体ペーストを焼結させることにより得られるが、導体ペーストの焼成収縮とガラスセラミックスの焼成収縮とを合わせたり、絶縁層１との接合強度を確保したりするために、導体ペースト中にガラス粉末やセラミック粉末を添加してもよい。
【００７０】
線状の熱電対素線５と引き出し配線６との間の接続配線部７は、例えば、銀（Ａｇ），パラジウム（Ｐｄ），白金（Ｐｔ），金（Ａｕ）またはそれらの少なくとも１種を含む合金からなる。この接続配線部７は、熱電対の周囲にめっき法や蒸着法、印刷法等より形成される。接続配線部７は、熱電対の感温部、すなわちアルメルとクロメルとの接合部に形成してはならない。これは、例えばアルメルとクロメルにまたがって導電性物質が接触すると、アルメルとクロメルとの電位差がなくなり、起電力が発生せず、熱電対として機能しなくなるためである。
【００７１】
ヒーター導体１０は、例えば、白金−レニウム（Ｐｔ−Ｒｅ）やタングステン−レニウム（Ｗ−Ｒｅ）等の金属の粉末を主成分とするメタライズ層からなる。このメタライズ層は、上記金属の粉末を含む導体ペーストを焼結させることにより得られる。
【００７２】
ここで、本形態の配線基板について、アルメル−クロメル熱電対を用いた場合の−４０℃〜３００℃の温度領域における起電力曲線の測定結果を表１および図３のグラフに示す。
【表１】
2006177921.tif 000003
【００７３】
表１及び図３によれば、起電力の理論値とほぼ一致した特性を得ていることが判る。
【００７４】
本発明の配線基板は好ましくは、図４に示すように、ヒーター導体１０が流路９の底面よりも下方に配置され、接地導体２の一部が、流路９の側方に、間に流路９を挟んで対向するように配置されているのがよい。これにより、ヒーター導体１０および周囲の測定機器や加熱機器や攪拌機器から発生する電界は、流路９とヒーター導体１０との間に配置された接地導体２および流路９の側方に位置する接地導体１５に当たり、これらの接地導体２，１５内で渦電流となり接地される。そのため、接地導体２および流路９の側方に位置する接地導体１５で流路９を取り囲むことによって流路９をより効果的にシールドすることができ、ヒーター導体１０および周囲の測定機器や加熱機器や攪拌機器から発生する電界が流路９を流れる被処理流体の泳動に影響を与えることを効果的に抑制することができる。その結果、ＤＮＡやたんぱく質の質量が数ｎｇと極端に小さい場合にも測定精度に優れた配線基板とすることができる。
【００７５】
さらに、接地導体２を銀、銅、パラジウムおよび白金のうち少なくとも一種を主成分とする熱伝導率の高い材料で形成した場合には、ヒーター導体１０からの熱がこれら接地導体２からも伝熱され、流路９を均一に加熱することも可能となる。
【００７６】
このような流路９の側方に、間に流路９を挟んで対向するように配置された接地導体１５は流路９に沿って形成された壁状の導体であってもよく、流路９の側方に列状に配置された複数の貫通導体であってもよい。
【００７７】
次に、上述した配線基板の製造方法について、絶縁層１をガラスセラミックにより形成する場合を例にとって説明する。
【００７８】
まずセラミック粉末，ガラス粉末等の原料粉末に所望の有機バインダー，可塑剤，有機溶剤等を添加混合して泥漿状となし、これを従来周知のドクターブレード法やカレンダーロール法によりシート状に成形してガラスセラミックグリーンシート（以下、グリーンシートともいう）を作製する。また、銅，銀等の低融点金属の粉末に所望の有機溶剤，溶媒を添加混合して導体ペーストを作製する。ここで、絶縁層１となるグリーンシートに含まれるガラス粉末およびアルミナ粉末の平均粒径（Ｄ５０）を所望の大きさとして、各々のグリーンシートを製作する。
【００７９】
次に、第１層目の絶縁層１１となるグリーンシートにＤＮＡや蛋白質を泳動させる流路としての溝９を形成するために、溝パターンが凸状に形成された金型等を用いて、５０〜１５０℃の温度、３〜２００ＭＰａの圧力でグリーンシートを加圧打抜きし、グリーンシートの表面に所定パターンの溝９を形成する。
【００８０】
次に、溝９を形成した第１層目の絶縁層１１となるグリーンシートに、例えば打抜き法により貫通導体４や流路９の側方に列状に配置された複数の貫通導体１５を形成するための貫通孔を形成し、例えばスクリーン印刷法によりその貫通孔に導体ペーストを充填する。続いて、配線導体３や引き出し配線６を、各グリーンシート表面に所定パターンで印刷塗布する。
【００８１】
次に、溝９を形成した第１層目の絶縁層１１となるグリーンシートの下層にあたる第２層目の絶縁層１２となるグリーンシートに、例えば打抜き法により貫通導体４流路９の側方に列状に配置された複数の貫通導体１５を形成するための貫通孔を形成し、例えばスクリーン印刷法によりその貫通孔に導体ペーストを充填する。続いて、配線導体３を第２層目の絶縁層１２となるグリーンシートの表面に所定パターンで印刷塗布する。
【００８２】
次に、第２層目の絶縁層１２となるグリーンシートの下層にあたる第３層目の絶縁層１３となるグリーンシートに、例えば打抜き法により貫通導体４を形成するための貫通孔を形成し、例えばスクリーン印刷法によりその貫通孔に導体ペーストを充填する。続いて、接地導体２と配線導体３を第３層目の絶縁層１３となるグリーンシートの表面に所定パターンで印刷塗布する。
【００８３】
次に、第３層目の絶縁層１３となるグリーンシートの下層にあたる第４層目の絶縁層１４となるグリーンシートに、例えば打抜き法により貫通導体４を形成するための貫通孔を形成し、例えばスクリーン印刷法によりその貫通孔に導体ペーストを充填する。続いて、配線導体３や引き出し配線６、ヒーター導体１０を、第４層目の絶縁層１４となるグリーンシートの表面に所定パターンで印刷塗布する。
【００８４】
次に、熱電対素線５の所定位置に接続配線部７を形成するために、めっき法やプリント法等によってパラジウム膜を形成する。しかる後、第４層目の絶縁層１４となるグリーンシート上の引き出し配線６の所定位置に、パラジウム膜が形成された熱電対素線５を位置決めして載置し、その後、溝９を形成した第１層目の絶縁層となるグリーンシート１１から第４層目の絶縁層となるグリーンシート１４を重ね、３〜２００ＭＰａの圧力で加圧し、熱電対をグリーンシート内に固定する。この時に流路９の側方に列状に配置された複数の貫通導体１５は第３層目の絶縁層１３上の接地導体２と接続される。なお、パラジウム膜に限らず、銀や白金，金から成る膜を形成してもよい。
【００８５】
次に、溝９を形成した第１層目の絶縁層となるグリーンシート１１から第４層目の絶縁層となるグリーンシート１４の積層体に所望のグリーンシートとを重ねて積層し、必要に応じて５０〜１００℃の温度で３〜２００ＭＰａの圧力で圧着し、約８００〜９５０℃の温度で焼成する。
【００８６】
そして最後に、配線基板の主面に露出する配線導体３や引き出し配線６の表面に、腐食防止等のために、ニッケルめっき、パラジウムめっきおよび金めっき等を被着させる。
【００８７】
以上のようにして製造した本形態の配線基板は、ガラスセラミックスから成る複数の絶縁層が積層されて成る絶縁基板と、絶縁層の層間および絶縁層の表面に形成された配線導体と、絶縁層を貫通して形成された貫通導体と、絶縁層の層内および絶縁層の表面に形成された流路と、配線導体または貫通導体に電気的に接続される熱電対５とを具備しており、流路と熱電対との間に絶縁層より焼結温度の低い金属から成る接地導体２が形成されている。即ち、流路としての溝９と熱電対５との間に、絶縁層１より焼結温度の低い接地導体２から成る変形防止層が形成されている。
【００８８】
これにより、ＤＮＡなどの検体を照合、合成、増幅するための流路付きの配線基板において、流路底部が熱電対により凸形状に変形することがなく、流路を検体がスムーズに泳動するので、配線基板上での諸反応温度を正確に安定して計測できる。その結果、検体の照合不良や合成不良、増幅率低下を有効に防止することができるようになり、ＤＮＡ解析の信頼性を向上せしめ、照合時間を短縮することが可能となる。
【００８９】
なお、本発明は上述の実施の形態に限定されず、本発明の要旨を逸脱しない範囲内において種々の変更、改良等が可能である。
【００９０】
例えば、上述した実施の形態では、図２のように接地導体２が配線基板端部まで構成される事例について説明したが、接地導体２が絶縁層１の内部に構成される形状になしても構わない。また、被処理流体に施される処理は、ＩＣチップ８を利用した電気泳動等の化学分析に限らず、合成や分解等の種々の化学反応によるものでも構わない。この場合も、反応温度を高い精度で制御できること、不要な電界の作用が防止されること、被処理流体の流れがスムーズであることから、化学反応等の制御を容易で精度を向上させることができる。
【図面の簡単な説明】
【００９１】
【図１】（ａ），（ｂ）は本発明の配線基板の実施の形態の一例を示し、（ａ）は配線基板の内層の構成を一部示す部分切欠斜視図、（ｂ）は配線基板の斜視図である。
【図２】図１の配線基板の断面図である。
【図３】図１の配線基板について、アルメル−クロメル熱電対を用いた場合の起電力曲線の測定結果を示すグラフである。
【図４】本発明の配線基板の実施の形態の他の例を示す断面図である。
【符号の説明】
【００９２】
１：絶縁層（絶縁基体）
２：基準電位に接続される接地導体
３：配線導体
４：貫通導体
５：熱電対素線
６：引き出し配線
７：接続配線部
８：ＩＣチップ
９：流路（溝）
１０：ヒーター導体
１１：第１層目の絶縁層
１２：第２層目の絶縁層
１３：第３層目の絶縁層
１４：第４層目の絶縁層
１５：流路の側方に、間に流路を挟んで対向するように配置された接地導体の一部
【図１】
2006177921.tif 000004
【図２】
2006177921.tif 000005
【図３】
2006177921.tif 000006
【図４】
2006177921.tif 000007